【手続補正書】
【提出日】平成17年10月18日(2005.10.18)
【手続補正１】
【補正対象書類名】明細書
【補正対象項目名】特許請求の範囲
【補正方法】変更
【補正の内容】
【特許請求の範囲】
【請求項１】  被写体を撮影する撮影手段と、
前記撮影した画像を編集する編集手段とを備える写真自動販売機であって、
前記編集手段において用いる編集用画像を、時期と対応付けて格納する格納手段と、
前記編集手段において用いる編集用画像として、ユーザあるいは当該写真自動販売機の設置者から前記時期の指定を受付ける受付手段と、
前記受付けた時期の指定に応じて、前記時期と対応付けて格納された編集用画像を前記編集手段において用いる編集用画像として利用可能に設定する設定手段とをさらに備える、写真自動販売機。
【請求項２】  前記格納手段は、前記編集用画像に所定の識別子を付与し、前記所定の識別子が付与された前記編集用画像を、前記時期に対応付けた個別の格納装置に格納する、請求項１に記載の写真自動販売機。
【請求項３】  前記時期は所定の期間であって、
現在の時期の情報を取得する取得手段をさらに備え、
前記受付手段において、自動設定を行なう旨の指示を受付けた場合に、前記設定手段は、前記取得した現在の時期が前記所定の期間に含まれる場合に、前記所定の期間である時期と対応付けて格納された編集用画像を前記編集手段において用いる編集用画像として利用可能に自動的に設定する、請求項１に記載の写真自動販売機。
【請求項４】  被写体を撮影する撮影手段と、
前記撮影した画像を編集する編集手段と、
前記撮影した画像を印刷する印刷手段と、
前記撮影した画像を補正する画像処理手段とを備える写真自動販売機であって、
前記撮影における設定、前記画像処理における設定、または前記印刷における設定を、季節に対応付けて、季節ごとに記憶する記憶手段と、
季節を特定する特定手段と、
前記特定手段で特定された季節に応じた設定を前記記憶手段より読出し、現在の設定とする設定手段とをさらに備える、写真自動販売機。
【請求項５】  前記特定手段は、テストモード画面に表示される季節の中から入力手段による選択を受付けることにより季節を特定する、請求項４に記載の写真自動販売機。
【請求項６】  前記記憶手段は、現在の時期を表わすカレンダー情報と、時期と季節とを対応付ける季節設定情報とをさらに記憶し、
前記特定手段は、前記カレンダー情報と前記時期設定情報とを比較することで季節を特定する、請求項４に記載の写真自動販売機。
【請求項７】  被写体を撮影する撮影ステップと、
前記撮影した画像を編集する編集ステップとを備える写真自動販売機における属性設定方法であって、
前記編集ステップにおいて用いる編集用画像を、時期と対応付けて格納する格納ステップと、
前記編集ステップにおいて用いる編集用画像として、ユーザあるいは当該写真自動販売機の設置者から前記時期の指定を受付ける受付ステップと、
前記受付けた時期の指定に応じて、前記時期と対応付けて格納された編集用画像を前記編集ステップにおいて用いる編集用画像として利用可能に設定する設定ステップとをさらに備える、写真自動販売機における属性設定方法。
【請求項８】  前記格納ステップは、前記編集用画像に所定の識別子を付与し、前記所定の識別子が付与された前記編集用画像を、前記時期に対応付けた個別の格納装置に格納する、請求項７に記載の写真自動販売機における属性設定方法。
【請求項９】  前記時期は所定の期間であって、
現在の時期の情報を取得する取得ステップをさらに備え、
前記受付ステップにおいて自動設定を行なう旨の指示を受付けた場合に、前記設定ステップにおいて、前記取得した現在の時期が前記所定の期間に含まれる場合に、前記所定の期間である時期と対応付けて格納された編集用画像を前記編集手段において用いる編集用画像として利用可能に自動的に設定する、請求項７に記載の写真自動販売機における属性設定方法。
【請求項１０】  被写体を撮影する撮影ステップと、
前記撮影した画像を編集する編集ステップと、
前記撮影した画像を印刷する印刷ステップと、
前記撮影した画像を補正する画像処理ステップとを備える写真自動販売機における属性設定方法であって、
前記写真自動販売機は、前記撮影ステップにおける設定、前記画像処理ステップにおける設定、または前記印刷ステップにおける設定を、季節に対応付けて、季節ごとに記憶する記憶手段を含み、
季節を特定する特定ステップと、
前記特定ステップにおいて特定された季節に応じた設定を、前記記憶手段より読出し、現在の設定とする設定ステップとをさらに備える、写真自動販売機における属性設定方法。
【手続補正２】
【補正対象書類名】明細書
【補正対象項目名】００１６
【補正方法】変更
【補正の内容】
【００１６】
本発明の他の局面に従うと、写真自動販売機は、被写体を撮影する撮影手段と、撮影した画像を編集する編集手段と、撮影した画像を印刷する印刷手段と、撮影した画像を補正する画像処理手段とを備える写真自動販売機であって、撮影における設定、画像処理における設定、または印刷における設定を、季節に対応付けて、季節ごとに記憶する記憶手段と、季節を特定する特定手段と、特定手段で特定された季節に応じた設定を記憶手段より読出し、現在の設定とする設定手段とをさらに備える。
また、上述の特定手段は、テストモード画面に表示される季節の中から入力手段による選択を受付けることにより季節を特定することが望ましい。
また、上述の記憶手段は、現在の時期を表わすカレンダー情報と、時期と季節とを対応付ける季節設定情報とをさらに記憶し、上述の特定手段は、カレンダー情報と時期設定情報とを比較することで季節を特定することが望ましい。
本発明のさらに他の局面に従うと、写真自動販売機における属性設定方法は、被写体を撮影する撮影ステップと、撮影した画像を編集する編集ステップとを備える写真自動販売機における属性設定方法であって、編集ステップにおいて用いる編集用画像を、時期と対応付けて格納する格納ステップと、編集ステップにおいて用いる編集用画像として、ユーザあるいは当該写真自動販売機の設置者から時期の指定を受付ける受付ステップと、受付けた時期の指定に応じて、時期と対応付けて格納された編集用画像を編集ステップにおいて用いる編集用画像として利用可能に設定する設定ステップとをさらに備える。
【手続補正３】
【補正対象書類名】明細書
【補正対象項目名】００１８
【補正方法】変更
【補正の内容】
【００１８】
また、上述の時期は所定の期間あり、写真自動販売機における属性設定方法は、現在の時期の情報を取得する取得ステップをさらに備え、受付ステップにおいて自動設定を行なう旨の指示を受付けた場合に、設定ステップにおいて、取得した現在の時期が所定の期間に含まれる場合に、所定の期間である時期と対応付けて格納された編集用画像を編集手段において用いる編集用画像として利用可能に自動的に設定することが望ましい。
本発明のさらに他の局面に従うと、写真自動販売機における属性設定方法は、被写体を撮影する撮影ステップと、撮影した画像を編集する編集ステップと、撮影した画像を印刷する印刷ステップと、撮影した画像を補正する画像処理ステップとを備える写真自動販売機における属性設定方法であって、写真自動販売機は、撮影ステップにおける設定、画像処理ステップにおける設定、または印刷ステップにおける設定を、季節に対応付けて、季節ごとに記憶する記憶手段を含み、季節を特定する特定ステップと、特定ステップにおいて特定された季節に応じた設定を、記憶手段より読出し、現在の設定とする設定ステップとをさらに備える。